(57)【特許請求の範囲】
【請求項１】
テレビジョン放送波から得た情報から１の映像信号と２以上の音声信号を抽出する抽出手段と、
前記抽出手段により抽出される映像信号を圧縮して映像圧縮データを生成するとともに、前記抽出手段により抽出される２以上の音声信号をそれぞれ圧縮して２以上の音声圧縮データを生成する圧縮手段と、
前記圧縮手段により生成される映像圧縮データを、ＤＶＤビデオフォーマットに規格される映像チャネルに記録するためのデータに変換するとともに、
前記圧縮手段により生成される２以上の音声圧縮データを、ＤＶＤビデオフォーマットで規定される２以上の音声チャネルであって独立して再生処理される音声チャネルに別々に記録するための記録データに変換するデータ変換手段と、
ユーザによる入力を受け付ける入力手段と、
前記入力手段から入力されたデータを、前記記録データに対応付けて記録するためのデータに変換する入力データ変換手段と
を有することを特徴とするビデオエンコーダ。
【請求項２】
請求項１に記載のビデオエンコーダにおいて、
前記抽出手段は、２つの音声信号として主音声信号および副音声信号を抽出し、
前記データ変換手段は、前記圧縮手段により生成される２つの音声圧縮データについて、ＤＶＤビデオフォーマットで規定される２つの音声チャネルであって独立して再生処理される音声チャネルに別々に記録するためのデータに変換すること
を特徴とするビデオエンコーダ。
【請求項３】
請求項１または請求項２に記載のビデオエンコーダと、
前記データ変換手段により変換されるデータをＤＶＤに記録する記録手段と
を有することを特徴とするＤＶＤ記録装置。
【請求項４】
コンピュータを、
テレビジョン放送波から得た情報から１の映像信号と２以上の音声信号を抽出する抽出手段と、
前記抽出手段により抽出される映像信号を圧縮して映像圧縮データを生成するとともに、前記抽出手段により抽出される２以上の音声信号をそれぞれ圧縮して２以上の音声圧縮データを生成する圧縮手段と、
前記圧縮手段により生成される映像圧縮データを、ＤＶＤビデオフォーマットに規格される映像チャネルに記録するためのデータに変換するとともに、
前記圧縮手段により生成される２以上の音声圧縮データを、ＤＶＤビデオフォーマットで規定される２以上の音声チャネルであって独立して再生処理される音声チャネルに別々に記録するためのデータに変換するデータ変換手段と、
ユーザによる入力を受け付ける入力手段と、
前記入力手段から入力されたデータを、前記記録データに対応付けて記録するためのデータに変換する入力データ変換手段
として機能させることを特徴とするプログラム。
【発明の詳細な説明】
【０００１】
【発明の属する技術分野】
この発明は、二ヶ国語放送のように２以上の音声が放送される番組をＤＶＤ（Ｄｉｇｉｔａｌ  Ｖｅｒｓａｔｉｌｅ  Ｄｉｓｋ）に記録する技術に係る。
【０００２】
【従来の技術】
テレビジョン番組をＤＶＤに記録する際に用いる記録フォーマットの１つとして、ＤＶＤビデオフォーマットがある。ＤＶＤビデオフォーマットは、ＤＶＤに一筆書きで連続して記録する形式をとり、他の記録フォーマット、たとえばＤＶＤビデオレコーディングフォーマットと比較すると、ＤＶＤ−ＲＯＭ（Ｒｅａｄ  Ｏｎｌｙ  Ｍｅｍｏｒｙ）の記録フォーマットの内容に近似する。このため、ＤＶＤビデオフォーマットで記録したＤＶＤは、ＤＶＤ−ＲＯＭの再生装置で再生することができ、互換性が高いという利点がある（たとえば非特許文献１参照）。
【０００３】
【非特許文献１】
河村著、”よくわかるディスクレコーダ”、第１版、（株）電波新聞社、２００３年１月、ｐ．９２−９３
【０００４】
【発明が解決しようとする課題】
テレビジョン放送は、映像信号と音声信号から構成されるビデオ信号を配信することにより行われている。このうち音声信号は、モノラル放送、ステレオ放送、二ヶ国語放送のいずれかの形態により配信される。
ここで、ＤＶＤビデオフォーマットにおいては、モノラル放送あるいはステレオ放送される番組を記録するための概念（記録フォーマット）は用意されているが、二ヶ国語放送される番組を記録するための概念は用意されていない。このため従来は、二ヶ国語放送番組の音声信号を余すところなく記録することはできない問題があった。たとえば、英語および日本語の２つの言語で二ヶ国語放送される番組について記録する場合、これまでは、英語あるいは日本語のいずれかしか記録することはできなかった。
本発明は以上の点を鑑みて行われたものであり、二ヶ国語放送といった２以上の音声信号が放送される番組について、ＤＶＤビデオフォーマットに基づき音声信号を余すことなく記録できるビデオエンコーダ、ＤＶＤ記録装置およびプログラムを提供することを目的とする。
【０００５】
【課題を解決するための手段】
上記課題を解決するため、本発明に係るビデオエンコーダの構成は、テレビジョン放送波から得た情報から１の映像信号と２以上の音声信号を抽出する抽出手段と、前記抽出手段により抽出される映像信号を圧縮して映像圧縮データを生成するとともに、前記抽出手段により抽出される２以上の音声信号をそれぞれ圧縮して２以上の音声圧縮データを生成する圧縮手段と、前記圧縮手段により生成される映像圧縮データを、ＤＶＤビデオフォーマットに規格される映像チャネルに記録するためのデータに変換するとともに、前記圧縮手段により生成される２以上の音声圧縮データを、ＤＶＤビデオフォーマットで規定される２以上の音声チャネルであって独立して再生処理される音声チャネルに別々に記録するための記録データに変換するデータ変換手段と、ユーザによる入力を受け付ける入力手段と、前記入力手段から入力されたデータを、前記記録データに対応付けて記録するためのデータに変換する入力データ変換手段とを有することを特徴とする。
かかるビデオエンコーダを用いれば、テレビジョン放送波から得た情報から抽出される２以上の音声信号は、圧縮処理され、２以上の音声圧縮データとされる。次いで、この２以上の音声圧縮データについて、ＤＶＤビデオフォーマットで規定される独立して再生処理可能な音声チャネルに別々に記録するための記録データに変換される。この記録データをＤＶＤに記録すれば、放送される２以上の音声信号を余すところなくＤＶＤに記録できるとともに、その後、２以上の音声信号を独立して再生処理することができる、といった効果を奏する。さらに、ユーザから入力されたデータが、記録データに対応付けて記録するためのデータに変換されるため、ユーザが任意のデータを記録データに付加して記録することができる。
【０００６】
【発明の実施の形態】
図１は、本発明の一実施形態に係るＤＶＤ記録装置１００の構成である。
ＤＶＤ記録装置１００は、二ヶ国語放送されるテレビジョン番組をＤＶＤに記録する装置である。記録媒体としては、ＤＶＤ−Ｒ（ＤＶＤ−ｒｅｃｏｒｄａｂｌｅ）や、ＤＶＤ−ＲＡＭ（ＤＶＤ−Ｒａｎｄｏｍ  Ａｃｃｅｓｓ  Ｍｅｍｏｒｙ）など任意のＤＶＤを想定できるが、以下の説明ではＤＶＤと総称する。
ＤＶＤ記録装置１００は、入力部１０、抽出回路１１、圧縮部１３〜１５、記録データ処理部１６、記録部２０を備えている。さらに、これらの各部を統括する制御部３０と、各種プログラムがインストールされるハードディスク（ＨＤ）３２とを備えている。
【０００７】
入力部１０には、アンテナ９により受信されるテレビジョン放送波が入力される。
抽出回路１１は、アンテナ９で受信されるテレビジョン放送波から、１の映像信号と、２の音声信号（主音声信号と副音声信号）を抽出する処理を行う。
図２は、抽出回路１１の構成をより詳細に示した図である。まず復調回路１１Ａは、入力部１０から供給されるテレビジョン放送波を復調する。復調回路１１Ａは、テレビジョン放送波を復調することにより得られるビデオ信号を、フィルタ回路１１Ｂに出力する。
ビデオ信号は、テレビジョン番組の映像に係る信号（映像信号）と、音声に係る信号（音声信号）の各成分が含まれている。ここで、ステレオ放送番組の音声信号には、加算信号（Ｌ＋Ｒ信号）と差分信号（Ｌ−Ｒ信号）の成分が含まれており、二ヶ国語放送番組の音声信号には、主音声信号と副音声信号の成分が含まれている。
【０００８】
フィルタ回路１１Ｂは、復調回路１１Ａから供給されるビデオ信号に対してフィルタ処理を行う。フィルタ回路１１Ｂは、ビデオ信号をフィルタ処理して抽出される映像信号や音声信号を出力する。ステレオ放送や二ヶ国語放送の場合、フィルタ回路１１Ｂは、２つの音声信号を抽出することになる。
フィルタ回路１１Ｂにおけるフィルタ処理方法は任意の方法を用いることができる。アナログテレビ放送においては、映像信号や音声信号を配信する各帯域が予め決められているから、各帯域に沿ったバンドパスフィルタを用いて信号抽出をすればよい。なお、これらの信号とは別に制御信号（ステレオ放送や二ヶ国語放送の別などを示す信号）が配信されているときは、フィルタ回路１１Ｂにおいて制御信号の抽出をさらに行うようにしてもよい。
【０００９】
スイッチＳＷ１，ＳＷ２は、フィルタ回路１１Ｂから出力される１または２つ音声信号を圧縮部１４，１５に出力するにあたり、そのままスルーで出力させるか、マトリクス回路１１Ｃを通してから出力させるかを決定するスイッチである。
マトリクス回路１１Ｃは、ステレオ放送された２つの音声信号、すなわち加算信号（Ｌ＋Ｒ信号）および減算信号（Ｌ−Ｒ信号）から、Ｌ成分およびＲ成分の信号を抽出する回路である。具体的にいうと、マトリクス回路１１Ｃは、加算信号（Ｌ＋Ｒ信号）と差分信号（Ｌ−Ｒ信号）を加算して、Ｒ信号の成分を相殺することにより、Ｌ信号の成分のみを抽出する。一方、加算信号（Ｌ＋Ｒ信号）と差分信号（Ｌ−Ｒ信号）を減算して、Ｌ信号の成分を相殺することにより、Ｒ信号の成分のみを抽出する。
【００１０】
一方、二ヶ国語放送の音声信号の場合は、フィルタ回路１１Ｂから出力される２つの音声信号、すなわち主音声信号および副音声信号をそのままスルーで出力されるように、スイッチＳＷ１，ＳＷ２が制御される。
さらに、モノラル放送された番組の音声信号は１つ（Ｌ＋Ｒ信号）であるため、この音声信号をそのまま出力されるように、スイッチＳＷ１（またはＳＷ２）が制御される。
以上のようにして、抽出回路１１は、ビデオ信号から、映像信号および１または２の音声信号を抽出する。そして、抽出した各種を圧縮部１３，１４，１５にそれぞれ出力する。
【００１１】
図１に戻り、ＤＶＤ記録装置１００の構成説明を続ける。
圧縮部１３，１４，１５は、抽出回路１１から供給される信号に対する圧縮処理を行い、圧縮したデータを記録データ処理部１６に出力する。圧縮処理の形式は、ＤＶＤビデオフォーマットで予め規定されているものであれば任意のものを用いることができる。たとえば映像信号が供給される圧縮部１３は、ＭＰＥＧ２（Ｍｏｖｉｎｇ  Ｐｉｃｔｕｒｅ  Ｅｘｐｅｒｔ  Ｇｒｏｕｐ  ｐｈａｓｅ  ２）の規格に基づいて圧縮処理を行い、音声信号が供給される圧縮部１４や圧縮部１５は、ＭＰＥＧ−Ａｕｄｉｏの規格に基づいて圧縮処理を行うことができる。
【００１２】
記録データ処理部１６は、圧縮部１３から供給される映像情報の圧縮データ、圧縮部１４，１５から供給される音声情報の圧縮データを、ＤＶＤに記録するためのデータ（記録データ）に変換する処理を行う。そして、変換した記録データを記録部２０に出力する。
記録部２０は、セットされるＤＶＤに対してレーザ光を照射し、記録データ処理部１６から供給される記録データをＤＶＤに書き込む。これによりＤＶＤ記録が実行される。
なお、図１において、抽出回路１１、圧縮部１３〜１５、記録データ処理部１６および制御部３０によって、ビデオエンコーダが構成される。
【００１３】
次に、ＤＶＤに記録されるデータの内容を説明する。
図３は、ＤＶＤビデオフォーマットにおいて規定される、代表的な記録構造を模式的に表した図である。図３に示すように、ＤＶＤビデオフォーマットでは、映像に係る圧縮データ（以下、映像圧縮データ）を記録するための映像チャネルと、音声に係る圧縮データ（以下、音声圧縮データ）を記録するための音声チャネルが予め用意されている。そして、音声チャネルの数は、１，２，４，……といった中から任意の数を設定できるようになっている。
図３は、２つの音声チャネルで構成した例を示している。この構成は、主としてステレオ放送番組の記録を想定した構成であり、Ｌ信号とＲ信号に係る音声圧縮データを、各々の音声チャネルに記録することになる。ＤＶＤ再生時においては、２つの音声チャネルに記録された音声圧縮データが同時再生処理されるから、これによりステレオ音声再生が実現される。
【００１４】
一方、モノラル放送のテレビジョン番組を記録する際には、１つの音声チャネルを用意すれば足りる。この場合は、当該１の音声チャネルに、モノラル音声信号（Ｌ＋Ｒ信号）に係る音声圧縮データを記録する形式となる。
なお、再生時に３以上のスピーカを用いるような場合、たとえばフロントスピーカだけでなくリアスピーカも用いた放音処理をしたい場合は、３以上の音声チャネルを用意することも可能である。
【００１５】
このように、ＤＶＤビデオフォーマットにおいては、モノラル放送あるいはステレオ放送される番組を記録するための概念（記録フォーマット）は用意されているが、二ヶ国語放送される番組を記録するための概念は用意されていない。たとえば、上掲図３のように２つの音声チャネルを用意し、一方の音声チャネルに主音声信号を記録し、他方の音声チャネルに副音声信号を記録すると、ＤＶＤ再生時において、主音声信号と副音声信号とが同時に再生されてしまう不具合があった。このため、従来は、主音声と副音声のいずれかしか記録することはできなかった。
【００１６】
上述した問題を解決するために、本発明者が着目した点を以下に説明する。
ＤＶＤビデオフォーマットは、上掲図３のように、同時に再生処理の対象となる音声チャネルだけでなく、独立して再生処理の対象とする音声チャネルもオプションとして用意することができる点に着目した。そして、本発明者は、図４に示すような記録フォーマットを採用すれば、これまでの問題を解決できるのではないかと考えた。
図４は、４つの音声チャネルａ，ｂ，ｃ，ｄにより構成される記録フォーマットであり、音声チャネルａと音声チャネルｂでトラック１を構成し、音声チャネルｃと音声チャネルｄでトラック２を構成した場合を示している。トラックとは、同時に再生処理する音声チャネルのまとまりを示す概念である。同じトラックに属する音声チャネルは同時に再生処理され、異なるトラックに属する音声チャネルは同時再生されず、独立に再生処理されることになる。図４の例では、トラック１に属する音声チャネルａおよび音声チャネルｂ、あるいは、トラック２に属する音声チャネルｃおよび音声チャネルｄのいずれかが再生処理される。
【００１７】
本発明者は、図４に示すような記録フォーマットを採用し、二ヶ国語放送された主音声信号と副音声信号に係る圧縮データについて、それぞれ別トラックに記録すれば、従来の問題は解決されると考えた。具体的に言うと、主音声信号をトラック１に記録し、副音声信号をトラック２に記録すれば、主音声信号と副音声信号が同時に再生処理される問題は生じないと考えた。また、主音声と副音声のいずれもを余すところなくＤＶＤに記録することができると考えた。
なお、本実施形態においては、主音声信号や副音声信号がそれぞれステレオ放送される場合も考慮し、トラックごとに２つの音声チャネルを設ける構成とした。ステレオ放送を考慮しないときは、トラックごとに１つの音声チャネルを設ける構成としてもよい。
【００１８】
以下、本発明の内容をよりわかりやすくするために、ＤＶＤ記録装置１００を用いて、二ヶ国語放送されるテレビジョン番組をＤＶＤに記録する動作について説明する。
まず制御部３０は、アンテナ９から入力部１０に供給されるテレビジョン放送波を、抽出回路１１に出力するよう各部を制御する。
【００１９】
抽出回路１１の復調回路１１Ａは、供給されるテレビジョン放送波に対する復調処理を行う。そして、復調処理により得られるビデオ信号をフィルタ回路１１Ｂに出力する。フィルタ回路１１Ｂは、供給されるビデオ信号についてフィルタ処理を行い、映像信号および２つの音声信号（主音声信号および副音声信号）を抽出する。フィルタ回路１１Ｂによって抽出される主音声信号および副音声信号は、マトリクス回路１１Ｃを介さずにスルーで抽出回路１１から出力される。
【００２０】
抽出回路１１から出力される１の映像信号および２の音声信号（主音声信号および副音声信号）は、それぞれ圧縮部１３，１４，１５において圧縮処理が施される。そして、各圧縮データは記録データ処理部１６に供給される。
記録データ処理部１６は、供給される３つの圧縮データ（１の映像信号および２の音声信号に係る圧縮データ）をＤＶＤに記録するためのデータに変換する。この変換データは、ＤＶＤの異なるトラックに各音声信号に係る圧縮データを記録するデータに相当する。そのあと記録データ処理部１６は、変換したデータを記録部２０に出力する。
記録部２０は、記録データ処理部から供給されるデータをＤＶＤに記録し、これにより記録動作が完了する。
【００２１】
このようにして記録されたＤＶＤは、主音声信号と副音声信号とが異なるトラックに記録されていることになる。このため、再生時においては、主音声信号あるいは副音声信号のうちのいずれか一方を独立して再生処理することができ、これまでのように主音声と副音声とが同時に放音されてしまう不具合は生じない。
【００２２】
なお、このようにしてテレビジョン番組を記録した後、当該番組に係るインディックス情報（番組名や記録日時などを示す情報）をユーザがＤＶＤに書き込めるようにしてもよい。また、主音声および副音声の内容（言語名など）も併せてＤＶＤに書き込めるようにしてもよい。
制御部３０は、ユーザによって入力された情報について、オーサリング処理を行い、ＤＶＤに記録するためのデータに変換し、これをＤＶＤに記録する。そして、ＤＶＤ再生時のメニュー画面の情報として反映させるようにしてもよい。
図５は、ＤＶＤ再生時のメニュー画面の一例を示すものである。このようにメニュー画面として、記録番組の名称等とあわせて主音声および副音声の内容を表示するようにして、ユーザの選択を促すようにしてもよい。そして、ユーザが選択した言語の再生処理するように制御すれば、ユーザのＤＶＤ再生時における操作便宜が図られる。
【００２３】
（他の実施形態）
上述した実施形態では、テレビジョン放送波の受信後、ただちにＤＶＤに記録すること、すなわちリアルタイムにＤＶＤに記録をすることを想定した。これに対し、映像信号や音声信号を一旦ＨＤ３２に格納しておき、その後に改めてＤＶＤに記録する形態をとってもよい。
このように非リアルタイムに記録処理を行う場合は、ＨＤ３２には、放送された音声に係る情報が余すところなく記録されている。このため、上述実施形態のように、すべての音声信号をＤＶＤにトラックを分けて記録するようにしてもよいし、ユーザが選択した音声信号のみをＤＶＤに記録することもできる、といった自由度がある。
【００２４】
また、本実施形態においては二ヶ国語放送番組を想定したが、将来的に三ヶ国語以上の音声が放送された場合であっても、本発明の適用は可能である。この場合は、フィルタ回路１１Ｂにおいて、三ヶ国語の音声信号それぞれを抽出するようにし、ＤＶＤに３つのトラックを設けてそれぞれのトラックに音声信号を記録するような記録データに変換すればよい。
【００２５】
また、本実施形態に係るＤＶＤ記録装置１００は、図１に示すように各構成要素をハード的に示したが、構成要素の一部あるいは全部をソフトウェアで実現することも可能である。たとえば、ＤＶＤ記録機能を有するパソコンを用いれば、記録部２０については既に用意されているので、残りの構成要素の機能に相当するプログラムをパソコンにインストールしておけばよい。
【００２６】
【発明の効果】
本発明によれば、二ヶ国語放送といった２以上の音声信号が放送される番組について、ＤＶＤビデオフォーマットに基づき音声信号を余すことなく記録することができる。
【図面の簡単な説明】
【図１】本発明の実施形態に係るＤＶＤ記録装置１００の構成図である。
【図２】同ＤＶＤ記録装置１００の抽出回路１１の内容である。
【図３】従来の記録フォーマットの内容を模式的に示す図である。
【図４】本実施形態において採用した記録フォーマットの内容を模式的に示す図である。
【図５】本実施形態の動作内容を説明するための図である。
【符号の説明】
９……アンテナ、１０……入力部、１１……抽出回路、
１３，１４，１５…圧縮部、１６……記録データ処理部、２０……記録部、
３１……制御部、３２……ＨＤ（ハードディスク）、
１００……ＤＶＤ記録装置。
【要約】【課題】二ヶ国語放送といった２以上の音声信号が放送される番組について、ＤＶＤビデオフォーマットに基づき音声信号を余すことなく記録する
【解決手段】テレビジョン放送波を復調したビデオ信号から、１の映像信号および２以上の音声信号を抽出する。そして、抽出した１の映像信号について圧縮したものを、ＤＶＤビデオフォーマットで規定される映像チャネルに記録するためのデータに変換し、抽出した音声信号について圧縮処理したものを、ＤＶＤビデオフォーマットで規定される２以上の音声チャネルであって独立して再生処理される音声チャネルに別々に記録するためのデータに変換する。
【選択図】        図１【図１】
0003559275.tif 000002
【図２】
0003559275.tif 000003
【図３】
0003559275.tif 000004
【図４】
0003559275.tif 000005
【図５】
0003559275.tif 000006